(57)【特許請求の範囲】
【請求項１】
ピン穴を有し、ピンで連結することによってバンドを構成できるバンド駒によるバンド構造であって、
ピンを固着せず、ピンを挿通させるための一方の隣り合うバンド駒のピン穴は、ピンを被覆するパイプを備えることでピンの表面に施されたメッキによって当該ピンと溶接されず、
ピンを固着する他方の隣り合うバンド駒のピン穴は、ピンの表面に施されたメッキによって当該ピンと溶接されることを特徴とするバンド構造。
【請求項２】
ピン穴を有し、ピンで連結することによってバンドを構成できるバンド駒によるバンドの製造方法であって、
ピンを固着せず、ピンを挿通させるための一方の隣り合うバンド駒のピン穴にピンを被覆するパイプを設けつつ、互いのバンド駒のピン穴へピンを通してバンド駒を連結しバンドを構成するバンド構成工程と、
構成されたバンドを加熱する加熱工程とを備え、
加熱によって、ピンを固着せず、ピンを挿通させるための一方の隣り合うバンド駒のピン穴が、ピンを被覆するパイプを備えることでピンの表面に施されたメッキによって当該ピンと溶接されず、ピンを固着する他方の隣り合うバンド駒のピン穴が、ピンの表面に施されたメッキによって当該ピンと溶接されることを特徴とするバンド製造方法。
【発明の詳細な説明】
【０００１】
【発明の属する技術分野】
本発明は、バンド駒をピンによって連結し構成されるバンドの構造及び製造方法に関するものである。
【０００２】
【従来の技術】
図８は、中駒６０と外駒７０，７０とをピン８０で連結して、バンド９０を構成するバンド構造を示した説明図である。なお、中駒６０、外駒７０，７０、ピン８０は金属製であり、従って、バンド９０は金属製バンドである。中駒６０に設けられたピン穴６１にピン８０を挿通し、ピン穴６１から突出しているピン８０の両端部８１，８１を外駒７０，７０のピン穴７１，７１に差し込むことで、中駒６０と外駒７０，７０とが連結される。
【０００３】
このとき、ピン８０の両端部８１，８１が外駒７０，７０のピン穴７１，７１と固着することで、外駒７０，７０が中駒６０を挟む状態となり、中駒６０と外駒７０，７０との連結状態が維持される。従来、ピン８０の両端部８１，８１と外駒７０，７０のピン穴７１，７１との固着は、両端部８１，８１にかかるピン穴７１，７１の応力によって達成される。
【０００４】
すなわち、ピン穴７１，７１の穴径をピン８０のピン径よりも大きくすることなく、両端部８１，８１をピン穴７１，７１に差し込んだときに、両端部８１，８１に応力がかかるようにしたものである。また、この応力だけでは不十分な場合は、両端部８１，８１をピン穴７１，７１に差し込んだ状態で加熱して、両端部８１，８１の外周とピン穴７１，７１の内壁とを溶接処理（固相結合）することが行われていた。
【０００５】
【発明が解決しようとする課題】
しかし、この構造の下では、中駒６０と外駒７０，７０とはピン８０のみで連結されてあり、圧入力に対してピン８０の座屈を防止して、この連結を安定したものにするために、ピン８０は太くする必要がある。また、外駒７０，７０のピン穴７１，７１に差し込んだピン８０へ十分な応力を与えるためには、外駒の厚さａを厚くし、さらに差し込んだピン８０に応力を与えるピン穴７１，７１の長さ（しめ代）ｂを十分にとるために外駒の幅ｃを長くする必要がある。このため、バンドをデザインする上で大きな制約があった。
【０００６】
一方、現在はデザインも多様化しており、バンドのデザインとして薄手で幅の狭いものが求められる場合もある。そこで、本発明では、従来のバンドの品質を下げることなく、デザインに対する制約を少なくして、デザイン性の高まるバンド構造及びその製造方法を提供することを目的とする。
【０００７】
【課題を解決するための手段】
上記目的を達成するために、請求項１記載の発明は、ピン穴を有し、ピンで連結することによってバンドを構成できるバンド駒によるバンド構造であって、ピンを固着せず、ピンを挿通させるための一方の隣り合うバンド駒のピン穴は、ピンを被覆するパイプを備えることでピンの表面に施されたメッキによって当該ピンと溶接されず、ピンを固着する他方の隣り合うバンド駒のピン穴は、ピンの表面に施されたメッキによって当該ピンと溶接されることを特徴とするバンド構造である。
【０００８】
ここで、「バンド駒」とは、バンドを構成するための駒である。ピン穴を有し、ピンで連結することによってバンドを構成できる駒であれば、どのような形状のものでもこのバンド駒に含まれる。なお、バンドが、略凸状など１種類のバンド駒からなる場合と、中駒や外駒など複数種類からなる場合とを問わない。
「バンド」は、とくにその用途を問わない。時計バンドや装飾品の一部に使用してもよい。また、帯状の締結具などにも使用できる。
【０００９】
また、請求項２に記載の発明は、ピン穴を有し、ピンで連結することによってバンドを構成できるバンド駒によるバンドの製造方法であって、ピンを固着せず、ピンを挿通させるための一方の隣り合うバンド駒のピン穴にピンを被覆するパイプを設けつつ、互いのバンド駒のピン穴へピンを通してバンド駒を連結しバンドを構成するバンド構成工程と、構成されたバンドを加熱する加熱工程とを備え、加熱によって、ピンを固着せず、ピンを挿通させるための一方の隣り合うバンド駒のピン穴が、ピンを被覆するパイプを備えることでピンの表面に施されたメッキによって当該ピンと溶接されず、ピンを固着する他方の隣り合うバンド駒のピン穴が、ピンの表面に施されたメッキによって当該ピンと溶接されることを特徴とするバンド製造方法である。
【００１０】
【作用】
請求項１記載の発明によれば、ピンを固着せず、ピンを挿通させるためのバンド駒のピン穴が、ピンを被覆するパイプを備えることで、挿通されたピンがパイプによって被覆される。また、ピンを固着するバンド駒のピン穴が、ピンの表面又は／及びピン穴の内壁に施されたメッキによって当該ピンと溶接されて、ピンとバンド駒のピン穴とが固着する。
【００１１】
【発明の実施の形態】
本発明の実施形態を図面に基づいて説明する。
図１は、本発明の実施形態を示す説明図である。
バンド１は、中駒１０と外駒２０，２０とをピン３０で連結して構成される。なお、中駒１０、外駒２０，２０、及びピン３０は金属製であり、従って、バンド１は金属製バンドである。このとき、中駒１０のピン穴１１には、パイプ４０を備える。また、ピン３０の表面には金メッキが施されている。なお、その他のメッキを施してもよい。
【００１２】
パイプ４０を備えた中駒１０のピン穴１１にこのピン３０を挿通すると、パイプ４０がピン３０を被覆するようになる。この結果、ピン３０の強度はパイプ４０によって補強されることになるため、ピンの径を従来よりも小さくしても同じような強度を持つことができる。
【００１３】
また、ピン穴１１からはピン３０の両端部３１，３１が突出する。この両端部３１，３１を外駒２０，２０のピン穴２１，２１に差し込むことで、中駒１０と外駒２０，２０とが連結される。このようにして中駒１０と外駒２０，２０とを連結していくと、バンド１が構成される。
【００１４】
そして、このようにして構成されたバンド１を熱処理する。すると、ピン３０の表面のメッキが溶けて、ピン３０の両端部３１，３１の外周と外駒２０，２０のピン穴２１，２１の内壁とが溶接される。この結果、ピン３０と外駒２０，２０のピン穴２１，２１とが固着する。
【００１５】
本発明者の実験によれば、メッキによる溶接は、従来の単に金属製のピンと金属製の駒との溶接よりも強いとの結果がでた。従って、ピン径が従来より小さくても、ピン３０と外駒２０，２０との固着は強化される。
【００１６】
一方、ピン３０の両端部３１，３１以外の部分については、熱処理をしてパイプ４０と溶接される場合もある。この場合は、ピン３０が中駒１０のピン穴１１に溶接することにはならない。このため、中駒１０がピン３０を枢軸として回動することの妨げにはならない。逆に、ピン３０とパイプ４０とが一体化するので、ピン３０の強度が向上する。
【００１７】
このピン３０と外駒２０，２０、及びピン３０とパイプ４０の溶接状態を図２〜図４で詳細に示す。
図２は、ピン３０（図示省略）を用いて、中駒１０と外駒２０，２０とを連結させた場合の平面図である。図３は、図２のＡ−Ａ線断面図であり、図４は、図２のＢ−Ｂ線断面図である。
【００１８】
図３の断面図に示すように、外駒２０のピン穴２１に差し込まれたピン３０は、メッキ３５によってピン穴２１の内壁と溶接される（図３拡大図参照）。
【００１９】
図４は、中駒１０のピン穴１１に通してあるピン３０が、メッキ３５によってパイプ４０と溶接された場合の断面図である（図４拡大図参照）。
【００２０】
このようにして、ピン３０を従来より細くしても、パイプ４０に被覆されることでその強度を従来と同様に又はそれ以上に向上できる。また、ピン３０の表面に施されたメッキによる溶接で、ピン３０と外駒２０，２０のピン穴２１，２１との固着も強化される。これによって、以下のような効果を有する。
▲１▼  ピン３０を細くすることで、外駒２０と中駒１０とを薄くできる。
▲２▼  外駒２０を薄くすることで、差し込んだピン３０に対する外駒２０のピン穴２１，２１の応力が弱くなるが、メッキによる溶接でピン３０とピン穴２１，２１との固着が強化されるので、問題はない。
▲３▼  また、メッキによる溶接でピン３０と外駒のピン穴２１，２１との固着は強化され、しめ代としての外駒のピン穴２１，２１を長くとらなくてもよいので、外駒の幅を狭くできる。
【００２１】
図５〜図７は、バンド駒のその他の実施形態の一例を示したものである。
図５は、外駒２０ｂ，２０ｂのピン穴２１ｂ，２１ｂが貫通したものである。この場合も前記と同様に、ピン３０（図示省略）は、熱処理によって表面のメッキが溶けてピン穴２１ｂ，２１ｂの内壁と溶接される。この結果、ピン３０と外駒２０ｂ，２０ｂのピン穴２１ｂ，２１ｂとが固着する。なお、挿入されたピン３０のピン穴２１ｂ，２１ｂから突出する部分については、研磨で除去される。
【００２２】
図６は、一のバンド駒が凸部と凹部とを有する凹凸駒２４であって、凹凸駒２４の凹部に他の凹凸駒２４の凸部を嵌合させて、ピン３０（図示省略）で連結するものである。この場合も、ピン３０は、熱処理によって表面のメッキが溶けて凹部に設けられたピン穴２５ｂ，２５ｂの内壁と溶接される。この結果、ピン３０と凹凸駒２４のピン穴２５ｂ，２５ｂとが固着する。
【００２３】
また、凹凸駒２４の凸部に設けられたピン穴２５ａには、パイプ４０（図示省略）が備えられており、パイプ４０がピン３０を被覆するようになる。この結果、ピン３０の強度はパイプ４０によって補強される。
【００２４】
図７は、Ｈ駒２６と角駒２８とを組み合わせたもので、Ｈ駒２６の凹部に角駒２８を嵌合させて、ピン３０（図示省略）で連結するものである。この場合も、ピン３０は、熱処理によって表面のメッキが溶けてＨ駒の凹部に設けられたピン穴２７，２７の内壁と溶接される。この結果、ピン３０とＨ駒２６のピン穴２７，２７とが固着する。
【００２５】
また、角駒２８に設けられたピン穴２９，２９には、パイプ４０（図示省略）が備えられており、パイプ４０がピン３０を被覆するようになる。この結果、ピン３０の強度はパイプ４０によって補強される。
【００２６】
なお、本発明の実施形態においては、ピン３０の表面にメッキが施された場合で説明しているが、これに限らず、ピン穴の内壁に施された場合、ピン穴の内壁とピンの表面との両方に施された場合であってもよい。
【００２７】
【発明の効果】
本発明によれば、ピンの径を小さくし、バンド駒を薄くすることが可能である。また、バンド駒のしめ代を短くすることも可能である。従って、バンドの構造に基づくデザインの制約は少なくなる。その結果、デザイン性の高いバンドを提供することが可能となる。
【図面の簡単な説明】
【図１】  本発明の実施形態を示す説明図。
【図２】  ピンを用いて、中駒と外駒とを連結させた平面図。
【図３】  図２のＡ−Ａ線断面図。
【図４】  図２のＢ−Ｂ線断面図。
【図５】  バンド駒のその他の実施形態を示した平面図。
【図６】  バンド駒のその他の実施形態を示した平面図。
【図７】  バンド駒のその他の実施形態を示した平面図。
【図８】  従来の技術を示す説明図。
【符号の説明】
１    バンド
１０    中駒                  １１    ピン穴
２０    外駒                  ２１    ピン穴
３０    ピン                  ３１    端部
４０    パイプ
【図１】
0003873147.tif 000002
【図２】
0003873147.tif 000003
【図３】
0003873147.tif 000004
【図４】
0003873147.tif 000005
【図５】
0003873147.tif 000006
【図６】
0003873147.tif 000007
【図７】
0003873147.tif 000008
【図８】
0003873147.tif 000009